(57)【要約】【課題】蓄光層の劣化を防止して発光輝度を維持・向上できる視覚障害者誘導用ブロックを提供する。【解決手段】平面状本体部２と、平面状本体部２の表面に突設された突起部３とを有してなる視覚障害者誘導用ブロック１において、突起部３に穿設された凹部３０に、剛性基材４０上に蓄光層４１及び保護層４２が積層された蓄光構造体４が配設され、凹部３０の表面開口部３０ａに蓄光層４１及び保護層４２が位置される。また、剛性基材４０は、蓄光層４１が積層される蓄光層積層面４０ｂと、蓄光層積層面４０ｂの周縁に蓄光層４１の側面を覆うように立設される立壁部４０ｃとが形成される。【選択図】図３
2013245487.tif 000002
【特許請求の範囲】
【請求項１】
平面状本体部と、該平面状本体部の表面に突設された突起部とを有してなる視覚障害者誘導用ブロックにおいて、
前記突起部に穿設された凹部に、剛性基材上に蓄光層及び保護層が積層された蓄光構造体が配設され、前記凹部の表面開口部に前記蓄光層及び保護層が位置されることを特徴とする視覚障害者誘導用ブロック。
【請求項２】
前記剛性基材は、前記蓄光層が積層される蓄光層積層面と、前記蓄光層積層面の周縁に前記蓄光層の側面を覆うように立設される立壁部とが形成される請求項１に記載の視覚障害者誘導用ブロック。
【請求項３】
前記凹部は、前記平面状本体部及び突起部を表裏面方向に貫通され、前記平面状本体部の裏面側より前記蓄光構造体が嵌挿可能に形成される請求項１又は請求項２に記載の視覚障害者誘導用ブロック。
【請求項４】
前記剛性基材は、前記平面状本体部の裏面側に係止される係止部が形成される請求項１乃至請求項３のいずれか一項に記載の視覚障害者誘導用ブロック。
【請求項５】
前記剛性基材は、前記突起部よりも剛性が高い素材より形成される請求項１乃至請求項４のいずれか一項に記載の視覚障害者誘導用ブロック。
【発明の詳細な説明】
【技術分野】
【０００１】
本発明は、視覚障害者誘導用ブロックの技術に関し、より詳細には、平面状本体部と、平面状本体部の表面に突設された突起部とを有してなる視覚障害者誘導用ブロックに関する。
【背景技術】
【０００２】
従来、視覚障害者を誘導又は警告して歩行を補助するための視覚障害者誘導用ブロックの構成が公知であり、具体的には、平面状本体部と、平面状本体部の表面に突設された突起部等とで構成され、路面や床面に敷設される。視覚障害者誘導用ブロックとしては、コンクリートや陶器などを用いて平面状本体部がブロック状に形成されたものや、樹脂モルタルやゴムなどを用いて平面状本体部がシート状に形成されたものなどが提案されている。
【０００３】
近年、視覚障害者誘導用ブロックにおいて、視覚障害者（特に弱視者）に対する夜間の視認性を高めるとともに、健常者に対しても夜間の注意喚起を促すために、特許文献１又は特許文献２に開示されるように、突起部の中央部表面に蓄光部材が配設された構成が提案されている。具体的には、特許文献１又は特許文献２には、予めゴム等に蓄光材料を混入させた蓄光部材が成形され、かかる蓄光部材を突起部に穿設された凹部に配設した構成が開示されている。
【先行技術文献】
【特許文献】
【０００４】
【特許文献１】特開２００６−２１９９３１号公報
【特許文献２】特開平８−３３８００９号公報
【発明の概要】
【発明が解決しようとする課題】
【０００５】
確かに、特許文献１又は特許文献２に開示される従来の視覚障害者誘導用ブロックでは、予め突起部とは別体に蓄光部材を成形してこれを突起部の凹部に配設する構成とすることで、蓄光材料を平面状本体部や突起部に直接混入して成形する場合と比べて発光輝度の向上が期待でき、また蓄光材料の使用量を減らすことができるので材料コストの低減も期待できる。しかしながら、突起部に配設された蓄光部材において天面が露出しているので、実使用の際、日光や雨水等により蓄光部材が劣化し易いという課題があった。また、歩行者や自転車等の通行によって蓄光部材の天面に傷が付き易く、この傷によって蓄光部材の輝度が低下してしまうという課題があった。
【０００６】
そこで、本発明では、視覚障害者誘導用ブロックに関し、前記従来の課題を解決するもので、蓄光層の劣化を防止して発光輝度を維持・向上できる視覚障害者誘導用ブロックを提供することを目的とする。
【課題を解決するための手段】
【０００７】
本発明の解決しようとする課題は以上の如くであり、次にこの課題を解決するための手段を説明する。
【０００８】
すなわち、請求項１においては、平面状本体部と、該平面状本体部の表面に突設された突起部とを有してなる視覚障害者誘導用ブロックにおいて、前記突起部に穿設された凹部に、剛性基材上に蓄光層及び保護層が積層された蓄光構造体が配設され、前記凹部の表面開口部に前記蓄光層及び保護層が位置されるものである。
【０００９】
請求項２においては、前記剛性基材は、前記蓄光層が積層される蓄光層積層面と、前記蓄光層積層面の周縁に前記蓄光層の側面を覆うように立設される立壁部とが形成されるものである。
【００１０】
請求項３においては、前記凹部は、前記平面状本体部及び突起部を表裏面方向に貫通され、前記平面状本体部の裏面側より前記蓄光構造体が嵌挿可能に形成されるものである。
【００１１】
請求項４においては、前記剛性基材は、前記平面状本体部の裏面側に係止される係止部が形成されるものである。
【００１２】
請求項５においては、前記剛性基材は、前記突起部よりも剛性が高い素材より形成されるものである。
【発明の効果】
【００１３】
本発明の効果として、蓄光層の劣化を防止して発光輝度を維持・向上できる。
【図面の簡単な説明】
【００１４】
【図１】本発明の実施例１の視覚障害者誘導用ブロックの全体的な構成を示した平面図である。
【図２】視覚障害者誘導用ブロックの側面図である。
【図３】視覚障害者誘導用ブロックの突起部の断面図である。
【図４】実施例２の視覚障害者誘導用ブロックの突起部の断面図である。
【図５】実施例３の視覚障害者誘導用ブロックの突起部の断面図である。
【図６】実施例４の視覚障害者誘導用ブロックの突起部の断面図である。
【図７】実施例５の視覚障害者誘導用ブロックの突起部の断面図である。
【図８】実施例６の視覚障害者誘導用ブロックの突起部の断面図である。
【図９】実施例７の視覚障害者誘導用ブロックの平面図である。
【図１０】実施例８の視覚障害者誘導用ブロックの平面図である。
【発明を実施するための形態】
【００１５】
次に、発明を実施するための形態を説明する。
【実施例１】
【００１６】
図１乃至図３に示す視覚障害者誘導用ブロック１は、ＪＩＳ  Ｔ  ９２５１（視覚障害者誘導用ブロック等の突起の形状・寸法及びその配列に関する規定）に即した誘導ブロックとして構成されており、具体的には、平面状本体部２と、平面状本体部２の表面に突設された突起部３と、剛性基材４０上に蓄光層４１及び保護層４２が積層された蓄光構造体４等とで構成されている。
【００１７】
平面状本体部２は、平面視正方形に形成されたシート状部材により形成され、平面状本体部２の表面に複数の突起部３・３・・・が突設されている。突起部３は、断面略台形の長板状に形成され、平面状本体部２の列方向（図１における縦方向）に沿って配設されるとともに、平面状本体部２の行方向（図１における横方向）に沿って複数（４個）が相互に等間隔に離間されて配設されている。すなわち、本実施例の視覚障害者誘導用ブロック１では、平面状本体部２の表面に合計４個の突起部３が「１行４列」にて配置されている。
【００１８】
なお、視覚障害者誘導用ブロック１を施工する際には、例えば、粘着剤が塗布された接着テープや接着剤などの接着部材（図略）を平面状本体部２の裏面に設け、かかる接着部材を施工面に面圧着させるなどして取り付けられる。
【００１９】
突起部３は、平面視中央位置に長手方向（図１における縦方向）に沿って凹部３０が穿設され、突起部３の上部平面（天面）に平面視矩形の表面開口部３０ａが開口されている。凹部３０は、断面矩形の有底孔として形成されており、後述する蓄光構造体４が底面及び側面に密着した状態で配設される（図３参照）。
【００２０】
平面状本体部２及び突起部３は、公知の素材により成形され、例えば、主原料としてゴムの他、熱可塑性エラストマーや熱可塑性樹脂などの高分子材料を用いることができる。平面状本体部２及び突起部３は、同一又は異なる素材により成形され、射出成形やプレス成形等により一体成形される。
【００２１】
ゴムとしては、天然ゴム（ＮＲ）、スチレン−ブタジエンゴム（ＳＢＲ）、ニトリル−ブタジエンゴム（ＮＢＲ）、クロロプレンゴム（ＣＲ）、ポリイソプレンゴム（ＩＲ）、多硫化ゴム（ＯＴ、ＢＯＴ）、アクリルゴム（ＡＣＭ、ＡＮＭ）、クロロスルホン化ポリエチレンごむ（ＣＳＭ）、エチレン−プロピレンゴム（ＥＰＭ）、エチレン−プロピレン−ジエンモノマーゴム（ＥＰＤＭ）、スチレン−ブタジエンゴム（ＳＢＲ）、クロロプレンゴム（ＣＲ）、塩素化ポリエチレンゴム（ＣＭ）、イソプレン−イソブチレンゴム（ＩＩＲ）、シリコーンゴム、フッ素ゴム、ウレタンゴム等を用いることができる。これらの材料は、単独又は２種以上混合して使用することもできる。
【００２２】
熱可塑性エラストマーとしては、スチレン系（ＳＢＣ）、オレフィン系（ＴＰＯ）、塩ビ系（ＴＰＶＣ）、ポリエステル系（ＴＰＥＥ）、ウレタン系（ＴＰＵ）、ポリアミド系（ＴＰＡＥ）、１，２−ポリブタジエン系（ＲＢ）等を用いることができ、熱可塑性樹脂としては、アクリル系樹脂、塩化ビニル系樹脂等を用いることができる。
【００２３】
また、平面状本体部２及び突起部３は、上述した主原料の他に、各種添加剤、例えば他の顔料、酸化防止剤、熱安定剤、紫外線吸収剤、光安定剤、難燃剤、滑剤、フィラー、帯電防止剤、硬化剤、充填材等を適宜添加することができる。
【００２４】
図３に示すように、蓄光構造体４は、剛性基材４０上に蓄光層４１及び保護層４２が積層されて構成されている。具体的には、剛性基材４０は、基材本体部４０ａと、蓄光層４１が積層される蓄光層積層面４０ｂと、蓄光層積層面４０ｂの周縁に蓄光層４１及び保護層４２の側面を覆うように立設される立壁部４０ｃとで構成されている。
【００２５】
剛性基材４０は、適度な剛性及び可撓性を有し、少なくとも突起部３よりも剛性が高い素材より形成され、例えば、アルミニウム材やステンレス材等の金属又はプラスチック等を用いることができる。特に、加工成形が容易である点でアルミニウム材が好ましく用いられる。
【００２６】
基材本体部４０ａは、平面視矩形の長板状に形成され、上面に蓄光層積層面４０ｂが形成されている。蓄光層積層面４０ｂは、基材本体部４０ａの長手方向に沿って延出された水平面として形成され、後述する蓄光層４１が積層される。立壁部４０ｃは、蓄光層積層面４０ｂの周縁に立設され、本実施例では長手方向の対向する両縁部に形成されている。換言すれば、本実施例の蓄光構造体４は、蓄光層積層面４０ｂ及び立壁部４０ｃによって基材本体部４０ａの上面に凹状の空間が形成され、かかる空間内に後述する蓄光層４１及び保護層４２が積層されて構成されている。
【００２７】
蓄光層４１は、ゴムや熱可塑性樹脂等の主剤に蓄光材料を混合した配合物として成形される。蓄光材料は、燐光特性を有する物質を用いた材料であって、太陽光や人工光等の光線を吸収蓄積し、その蓄積した光を放出するものである。蓄光材料としては、公知のものの中から任意のものを適宜選択して用いることができ、例えば、蓄光性顔料単体、蓄光性顔料と賦活剤との組み合わせ等を用いることができる。また、ガラスや樹脂等の表面に蓄光性顔料を被覆したビーズ状の蓄光材料（蓄光ビーズ被覆体）を用いてもよい。
【００２８】
蓄光性顔料単体としては、ＺｎＳ：Ｃｕ（緑色発光）、ＣａＳｒＳ：Ｂｉ（青色発光）、ＺｎＣｄＳ：Ｃｕ（青色〜橙色発光）等の硫化物系蓄光性顔料を用いることができ、蓄光性顔料と賦活剤との組み合わせに用いられる蓄光性顔料としては、アルミン酸塩系顔料を用いることができる。後者の場合、賦活剤としては、ユーロピウム（Ｅｕ）、ランタン（Ｌａ）、セリウム（Ｃｅ）、プラセオジウム（Ｐｒ）、ジスプロシウム（Ｄｙ）、ネオジム（Ｎｄ）等の希土類元素のイオンを用いることができる。これらの材料は、単独又は２種以上混合して使用することもできる。
【００２９】
蓄光層４１の主剤としては、例えば、ゴム、熱可塑性エラストマー、熱可塑性樹脂や熱硬化性樹脂など公知の高分子材料を用いることができる。特に、蓄光層４１の発光輝度を高くする点から透明性または半透明性を有する素材が好ましいが、透明性の低いものであっても、蓄光材料と混合して成形したとき、その配合物の表面近傍に蓄光材料を存在でき、暗闇で光って見えるものであれば用いることができる。
【００３０】
蓄光層４１の主剤としてのゴムや熱可塑性エラストマーとしては、上述した平面状本体部２及び突起部３と同種のものを用いることができる。熱可塑性樹脂としては、アクリル系樹脂、ポリエステル系樹脂、塩化ビニル系樹脂、ウレタン系樹脂、ポリエチレンやポリプロピレンなどのオレフィン系樹脂、ポリスチレンやＡＢＳ樹脂などのスチレン系樹脂、ポリカーボネート系樹脂、ポリアミド系樹脂等を用いることができる。また、熱硬化性樹脂としては、フェノール樹脂、メラミン樹脂、ユリア樹脂、不飽和ポリエステル樹脂、エポキシ樹脂、ジアリルフタレート樹脂、ポリウレタン樹脂、ビニルエステル樹脂、アクリル樹脂等を用いることができる。なお、これらの材料は、単独又は２種以上混合して使用することもできる。
【００３１】
また、蓄光層４１は、上述した主原料の他に、各種添加剤、例えば他の顔料、酸化防止剤、熱安定剤、紫外線吸収剤、光安定剤、難燃剤、滑剤、フィラー、帯電防止剤、硬化剤等を適宜添加することができる。また、蓄光材料の一部をガラスビーズ、シリカ、水酸化アルミ、炭酸カルシウム等の充填材と置き換えてもよい。
【００３２】
蓄光層４１の成形方法としては、例えば、（１）上述した主剤と蓄光材料との配合物を上述した剛性基材４０の蓄光層積層面４０ｂに塗工して蓄光層４１を直接成形する方法や、（２）上述した主剤と蓄光材料を含む蓄光組成物を射出成形やプレス成形等により成形して蓄光性成形体としての蓄光層４１を作製し、これを上述した剛性基材４０の蓄光層積層面４０ｂに貼り付ける方法などが挙げられる。
【００３３】
保護層４２は、蓄光層４１の表面側に積層されて、蓄光層４１の汚れ防止や耐候性及び耐摩耗を向上させる目的で形成される。保護層４２としては、例えば、主剤として、シリコーン樹脂、ポリエステル系樹脂、ポリウレタン系樹脂、アクリル系樹脂、ポリアミド系樹脂、酢酸ビニル系樹脂等を用いることができ、これらに各種添加剤を適宜添加してもよい。また、保護層４２の成形方法としては、例えば、保護層４２の主剤として熱硬化性樹脂を用いた場合に、蓄光層４１の表面に所定の熱硬化性樹脂を塗工した後にＵＶ硬化法等により保護層４２を成形する方法などが挙げられる。
【００３４】
本実施例の視覚障害者誘導用ブロック１では、突起部３に穿設された凹部３０に蓄光構造体４が配設され、凹部３０の表面開口部３０ａに蓄光層４１及び保護層４２が位置されるようにして埋設される。本実施例では、蓄光構造体４は、蓄光層４１及び保護層４２が表面側に向くようにして蓄光構造体４が表面開口部３０ａより凹部３０に挿嵌され、凹部３０の内底面及び内側面に密着された状態で固定される（図３等参照）。
【００３５】
蓄光構造体４は、凹部３０に挿嵌された状態で所定の接着剤により固着される。接着剤としては、例えば、アクリル系、ゴム系、シリコーン系、ポリエステル系、ポリビニルエーテル系接着剤等を用いることができる。
【００３６】
蓄光構造体４が凹部３０に配設された状態では、突起部３の天面は、蓄光構造体４により面一状に連続され、蓄光層４１の表面が保護層４２に覆われて凹部３０の表面開口部３０ａより直接露出しない。本実施例の視覚障害者誘導用ブロック１では、複数の突起部３・３・・・に穿設された凹部３０にそれぞれ対応する蓄光構造体４が配設される。
【００３７】
以上のように、本実施例の視覚障害者誘導用ブロック１は、平面状本体部２と、平面状本体部２の表面に突設された突起部３とを有してなる視覚障害者誘導用ブロック１において、突起部３に穿設された凹部３０に、剛性基材４０上に蓄光層４１及び保護層４２が積層された蓄光構造体４が配設され、凹部３０の表面開口部３０ａに蓄光層４１及び保護層４２が位置されるように構成されるため、蓄光層４１の劣化を防止して発光輝度を維持・向上できるのである。
【００３８】
すなわち、本実施例の視覚障害者誘導用ブロック１は、予め突起部３とは別体に蓄光層４１及び保護層４２が積層された蓄光構造体４を形成してこれを突起部３の凹部３０に配設するため、蓄光材料を平面状本体部２や突起部３に直接混入して成形する場合と比べて発光輝度を向上できるとともに、蓄光材料の使用量を減らすことができるので材料コストを低減できる。また、凹部３０の表面開口部３０ａに蓄光層４１及び保護層４２が位置されるため、蓄光層４１が保護層４２に覆われて露出しないので、実使用の際に蓄光層４１の劣化を防止できるとともに、蓄光層４１に傷が付くのを低減して発光輝度の低下を防止できる。
【００３９】
特に、本実施例の視覚障害者誘導用ブロック１は、蓄光構造体４において突起部３よりも剛性が高い素材より形成される剛性基材４０が用いられることで、突起部３に蓄光構造体４が配設された状態で突起部３の剛性を高めることができる。そのため、例えば、平面状本体部２及び突起部３が同一素材により一体成形される場合に、視覚障害者誘導用ブロック１の施工性を向上するために平面状本体部２及び突起部３を柔らかい素材を用いて成形しても、突起部３にて適度な剛性を維持でき、視覚障害者が歩行時に接触したときの識別性を維持・向上できる。また、剛性基材４０を含む蓄光構造体４が突起部３に対して適度な剛性を有するため、交換作業時の凹部３０への着脱も容易となる。
【００４０】
また、本実施例の剛性基材４０は、蓄光層４１が積層される蓄光層積層面４０ｂと、蓄光層積層面４０ｂの周縁に蓄光層４１の側面を覆うように立設される立壁部４０ｃとが形成されるため、蓄光層積層面４０ｂ及び立壁部４０ｃとで蓄光層４１を保護して、蓄光層４１が低硬度の素材により形成された場合であっても摩耗や剥離等を防いで、蓄光層４１の劣化を効果的に防止できる。
【００４１】
なお、視覚障害者誘導用ブロック１の構成としては、上述した実施例に限定されず、本発明の目的を逸脱しない限りにおいて種々の変更が可能である。以下の実施例（実施例２〜８）において、特に言及する場合を除いて、視覚障害者誘導用ブロックの各構成部材は上述した実施例１と同様に形成される。
【実施例２】
【００４２】
図４に示す実施例の視覚障害者誘導用ブロック１０１は、上述した実施例１（図３参照）の構成と比べて、突起部１０３に穿設される凹部１３０が、平面状本体部１０２及び突起部１０３を表裏面方向に貫通され、平面状本体部１０２の裏面側より蓄光構造体１０４が嵌挿可能に形成されている点が異なっている。凹部１３０は、断面矩形の貫通孔として形成されており、平面状本体部１０２の裏面側より蓄光構造体１０４が嵌挿されて、表面開口部１３０ａに蓄光層１４１及び保護層１４２が位置される。このように構成されることで、突起部１０３（凹部１３０）への蓄光構造体１０４の取り付けが容易になる。
【００４３】
なお、本実施例では、凹部１３０に蓄光構造体１０４が配設された状態で、凹部１３０の下部であって平面状本体部１０２の裏面との間に空間が形成されている。かかる空間が形成されることで、例えば、蓄光構造体１０４を固定する際に用いられた余剰の接着剤を空間内に待避させることができるとともに、凹部１３０と蓄光構造体１０４との当接面の隙間から雨水等が滲水した場合であってもかかる空間内に待避させて外部に排出することができる。
【実施例３】
【００４４】
図５に示す実施例の視覚障害者誘導用ブロック２０１は、上述した実施例２（図４参照）の構成と比べて、突起部２０３に穿設される凹部２３０が、平面状本体部２０２及び突起部２０３を表裏面方向に貫通されて形成される点は同じであるが、蓄光構造体２０４の剛性基材２４０にて平面状本体部２０２の裏面側に係止される係止部２４０ｄが形成されている点が異なっている。
【００４５】
剛性基材２４０は、基材本体部２４０ａの下方側面より幅方向に突設された係止部２４０ｄが形成されており、係止部２４０ｄは、平面状本体部２０２の裏面側より凹部２３０に蓄光構造体２０４が嵌挿されると、平面状本体部２０２の裏面の凹部２３０の開口部（裏面開口部）の開口縁に形成された段差箇所にて平面状本体部２０２と係止される。かかる状態では、蓄光構造体２０４は、凹部２０３の内側面に密着されるとともに、係止部２４０ｄにて平面状本体部２０２の裏面に密着されて固定されている。そのため、突起部２０３（凹部２３０）に対する蓄光構造体２０４の位置決めが容易となり、蓄光構造体２０４を安定して固定できる。
【００４６】
なお、本実施例では、蓄光構造体２０４の係止部２４０ｄに上下方向に穿設された貫通孔２４０ｅが形成されている。かかる貫通孔２４０ｅが形成されることで、例えば、蓄光構造体２０４を固定する際に用いられた余剰の接着剤を貫通孔２４０ｅ内に待避させることができるとともに、凹部２３０と蓄光構造体２０４との当接面の隙間から雨水等が滲水した場合であってもかかる貫通孔２４０ｅ内に待避させて外部に排出することができる。
【実施例４】
【００４７】
図６に示す実施例の視覚障害者誘導用ブロック３０１は、上述した実施例３（図５参照）の構成と比べて、蓄光構造体３０４の蓄光層３４１の厚さが大きい点が異なっている。すなわち、蓄光層３４１を射出成形やプレス成形等により成形して蓄光性成形体として作製した場合には、剛性基材３４０の蓄光層積層面３４０ｂに塗工して蓄光層３４１を直接成形した場合と比べて厚さ（高さ方向長さ）が大きくなることあるが、かかる場合であっても、蓄光構造体３０４を最適に構成することで、凹部３３０の表面開口部３３０ａに蓄光層３４１及び保護層３４２を位置させることができる。
【実施例５】
【００４８】
図７に示す実施例の視覚障害者誘導用ブロック４０１は、上述した実施例３（図５参照）等の構成と比べて、凹部４３０が表面開口部４３０ａから平面状本体部４０２の裏面の開口部に向けて徐々に拡径する貫通孔として形成され、かかる凹部４３０の形状に合わせて蓄光構造体４０４が形成されている点が異なっている。このように凹部４３０が形成されることで、突起部４０３（凹部４３０）に対する蓄光構造体４０４の位置決めが容易となり、蓄光構造体４０４を安定して固定できる。
【００４９】
なお、本実施例では、凹部４３０に蓄光構造体４０４が配設された状態で、基材本体部４４０ａの蓄光層積層面４４０ｂに積層された蓄光層４４１は、凹部４３０の内側面に当接されて、蓄光層４４１の剥離や脱離を防止できるように構成されている。
【実施例６】
【００５０】
図８に示す実施例の視覚障害者誘導用ブロック５０１は、上述した実施例５（図７参照）等の構成と比べて、蓄光構造体５０４の剛性基材５４０に平面状本体部５０２の裏面側に係止される係止部５４０ｄが形成され、かつ隣接する蓄光構造体５０４の係止部５４０ｄが連続されている点が異なっている。このような構成とすることで、各蓄光構造体５０４・５０４・・・が係止部５４０ｄにて平面状本体部５０２の裏面に連続して密着されて固定されるため、突起部５０３（凹部５３０）に対する蓄光構造体５０４の位置決めが容易となり、蓄光構造体５０４をより安定して固定できる。
【実施例７】
【００５１】
図９に示す実施例の視覚障害者誘導用ブロック６０１は、突起部６０３が、平面状本体部６０２の列方向（図９における縦方向）に沿って複数（３個）が連設されるとともに、平面状本体部６０２の行方向（図９における横方向）に沿って複数（４個）が相互に等間隔に離間されて配設されている。すなわち、本実施例では、平面状本体部６０２の表面に合計１２個の突起部６０３が「３行４列」にて配置されている。
【実施例８】
【００５２】
図１０に示す実施例の視覚障害者誘導用ブロック７０１は、ＪＩＳ  Ｔ  ９２５１に即した点状ブロックとして構成されており、断面略台形の円柱形状に形成された突起部７０３が、平面状本体部７０２の列方向（図１０における縦方向）に沿って複数（５個）が相互に間隔に離間されて配設されるとともに、同じく平面状本体部７０２の行方向（図１０における横方向）に沿って複数（５個）が相互に等間隔に離間されて配設されている。すなわち、本実施例では、平面状本体部７０２の表面に合計２５個の突起部７０３が「５行５列」にて配置されている。
【符号の説明】
【００５３】
１      視覚障害者誘導用ブロック
２      平面状本体部
３      突起部
４      蓄光構造体
３０    凹部
３０ａ  表面開口部
４０    剛性基材
４０ａ  基材本体部
４０ｂ  蓄光層積層面
４０ｃ  立壁部
４１    蓄光層
４２    保護層
【図１】
2013245487.tif 000003
【図２】
2013245487.tif 000004
【図３】
2013245487.tif 000005
【図４】
2013245487.tif 000006
【図５】
2013245487.tif 000007
【図６】
2013245487.tif 000008
【図７】
2013245487.tif 000009
【図８】
2013245487.tif 000010
【図９】
2013245487.tif 000011
【図１０】
2013245487.tif 000012